(57)【要約】【課題】運転者の減速意思に応じた運転を実行する。【解決手段】車両駆動ユニットの制御装置は、エンジン１１と車輪との間の動力の伝達及び遮断を切り替える変速装置１３及びトルクコンバータ１５と、変速装置１３及びトルクコンバータ１５を制御する制御部１００とを備えている。制御部１００は、アクセルがオフになり且つアクセルオフ速度Ｖａｃｃが所定の第１速度Ｖ１以上のときには、変速装置１３及びトルクコンバータ１５の締結によりエンジンブレーキを作用させる一方、アクセルがオフになり且つアクセルオフ速度Ｖａｃｃが第１速度Ｖ１未満のときには、変速装置１３及びトルクコンバータ１５を開放する。【選択図】図１
2016011701.tif 000002
【特許請求の範囲】
【請求項１】
エンジンと車輪との間の動力の伝達及び遮断を切り替える断続装置と、
前記断続装置を制御する制御部とを備えた車両駆動ユニットの制御装置であって、
前記制御部は、アクセルがオフになり且つアクセルがオフになる速度が所定の第１閾値以上のときには、前記断続装置の締結によりエンジンブレーキを作用させる一方、アクセルがオフになり且つアクセルがオフになる速度が該第１閾値未満のときには、前記断続装置を開放する車両駆動ユニットの制御装置。
【請求項２】
請求項１に記載の車両駆動ユニットの制御装置において、
発電機をさらに備え、
前記制御部は、アクセルがオフになり且つアクセルがオフになる速度が前記第１閾値以上のときには、エンジンブレーキを作用させると共に前記発電機による回生制動を実行する車両駆動ユニットの制御装置。
【請求項３】
請求項２に記載の車両駆動ユニットの制御装置において、
エンジンブレーキの作用と共に回生制動を実行するのは、アクセルがオフになり且つアクセルがオフになる速度が前記第１閾値よりも大きい第２閾値以上のときである車両駆動ユニットの制御装置。
【請求項４】
請求項２又は３に記載の車両駆動ユニットの制御装置において、
前記制御部は、回生制動による発電量を、アクセルがオフになる速度に応じて調整する車両駆動ユニットの制御装置。
【請求項５】
請求項１又は２に記載の車両駆動ユニットの制御装置において、
前記制御部は、アクセルがオフになった後のブレーキ及びアクセルの操作に応じて前記第１閾値を補正する車両駆動ユニットの制御装置。
【請求項６】
請求項３に記載の車両駆動ユニットの制御装置において、
前記制御部は、アクセルがオフになった後のブレーキ及びアクセルの操作に応じて前記第１閾値及び第２閾値を補正する車両駆動ユニットの制御装置。
【発明の詳細な説明】
【技術分野】
【０００１】
ここに開示された技術は、車両駆動ユニットの制御装置に関するものである。
【背景技術】
【０００２】
従来より、車両の運転中にクラッチを開放し、エンジンブレーキが作用しない状態での運転（以下、「開放運転」という）を行う技術が知られている。
【０００３】
例えば、特許文献１に係る制御装置は、アクセルペダル及びブレーキペダルが操作されていないときであって車速が所定値以下のときに、開放運転を実行する。
【先行技術文献】
【特許文献】
【０００４】
【特許文献１】特開２００４−４４８００号公報
【発明の概要】
【発明が解決しようとする課題】
【０００５】
ところで、エンジンブレーキが作用しない場合は減速度（負の加速度であり、減速の程度を表す。）が小さいので、運転者が減速不足を感じる場合もあり得る。つまり、アクセルオフの走行中であっても、減速に対する運転者の意思は様々であり、エンジンブレーキを一律にさようしないようにすればよいわけではない。減速に対する運転者の意思と走行状態とが合致しなれければ、運転者にアクセル又はブレーキの操作を強いることになる。
【０００６】
ここに開示された技術は、運転者の減速意思に応じた運転を実行することを目的とする。
【課題を解決するための手段】
【０００７】
ここに開示された技術は、エンジンと車輪との間の動力の伝達及び遮断を切り替える断続装置と、前記断続装置を制御する制御部とを備えた車両駆動ユニットの制御装置である。そして、前記制御部は、アクセルがオフになり且つアクセルがオフになる速度が所定の第１閾値以上のときには、前記断続装置の締結によりエンジンブレーキを作用させる一方、アクセルがオフになり且つアクセルがオフになる速度が該第１閾値未満のときには、前記断続装置を開放する。
【０００８】
この構成によれば、制御部は、アクセルがオフになる速度（以下、「アクセルオフ速度」という）に基づいて運転者の減速意思を判定している。詳しくは、アクセルがオンのときに車速が上がり過ぎると、運転者は減速すべくアクセルペダルを速く戻す傾向がある。つまり、アクセルオフ速度が速いときには、運転者の減速意思が強いと判定することができる。一方、アクセルオンにより車速が所望の車速に達し且つ急に減速させる必要がない場合、即ち、加速意思がなく且つ減速意思も弱い場合には、運転者はアクセルをゆっくり戻す傾向がある。つまり、アクセルオフ速度が遅いときには、運転者の減速意思が弱いと判定することができる。そこで、制御部は、アクセルオフ速度が所定の第１閾値以上のときには、減速意思が強いとして、断続装置の締結によりエンジンブレーキを作用させて、エンジンブレーキ運転を行う。これにより、運転者の減速意思に則して、減速度を高めることができる。一方、制御部は、アクセルオフ速度が第１閾値未満のときには、減速意思が弱いとして、断続装置を開放し、開放運転を実行する。開放運転は、エンジンブレーキが作用しないので、エンジンブレーキ運転に比べて減速度が小さい。これにより、運転者の減速意思に則して、減速度を弱めることができる。
【０００９】
また、車両駆動ユニットの制御装置は、発電機をさらに備え、前記制御部は、アクセルがオフになり且つアクセルがオフになる速度が前記第１閾値以上のときには、エンジンブレーキを作用させると共に前記発電機による回生制動を実行するようにしてもよい。以下、エンジンブレーキ運転を、回生制動の有無で区別するときには、回生制動を伴わないエンジンブレーキ運転を「通常エンジンブレーキ運転」と称し、回生制動を伴うエンジンブレーキ運転を「回生エンジンブレーキ運転」と称する。尚、通常エンジンブレーキ運転と回生エンジンブレーキ運転とを区別しない場合には、単に「エンジンブレーキ運転」と称する。
【００１０】
この構成によれば、アクセルオフ速度が速くてエンジンブレーキを作用させるときには、発電機による回生制動が実行される。これにより、減速度をさらに高めることができると共に、エネルギを回収して燃料消費を低減することができる。
【００１１】
さらに、エンジンブレーキの作用と共に回生制動を実行するのは、アクセルがオフになり且つアクセルがオフになる速度が前記第１閾値よりも大きい第２閾値以上のときであってもよい。
【００１２】
この構成によれば、開放運転、通常エンジンブレーキ運転、回生エンジンブレーキ運転がアクセルオフ速度の大きさ、即ち、運転者の減速意思に応じて使い分けられる。具体的には、アクセルオフ速度が第１閾値未満のときには開放運転が実行され、アクセルオフ速度が第１閾値以上で第２閾値未満のときには通常エンジンブレーキ運転が実行され、アクセルオフ速度が第２閾値以上のときには回生エンジンブレーキ運転が実行される。このように、アクセルオフ速度が速くなるに従って、即ち、運転者の減速意思が大きくなるに従って、減速度が大きい運転が実行される。
【００１３】
また、前記制御部は、回生制動による発電量を、アクセルがオフになる速度に応じて調整するようにしてもよい。
【００１４】
この構成によれば、発電量を調整することによって回生制動による減速度が調整される。つまり、アクセルオフ速度、即ち、減速意思に応じて回生制動による減速度が調整されるので、運転者の減速意思により則した運転を実行することができる。
【００１５】
前記制御部は、アクセルがオフになった後のブレーキ及びアクセルの操作に応じて前記第１閾値を補正するようにしてもよい。
【００１６】
この構成によれば、アクセルがオフになった後、開放運転又はエンジンブレーキ運転が実行される。その際、選択された運転の減速度が運転者の減速意思とずれていた場合には、運転者はブレーキ又はアクセルを操作することになる。つまり、アクセルがオフになった後に運転者がブレーキ又はアクセルを操作することは、選択された運転の減速の程度が運転者の減速意思とずれていることを意味する。そこで、制御部は、アクセルがオフになった後にブレーキ又はアクセルの操作があったときには、開放運転とエンジンブレーキ運転との閾値である第１閾値をその操作に応じて補正する。これにより、次回からは、運転者の減速意思により則した運転を実行することができる。
【００１７】
また、前記制御部は、アクセルがオフになった後のブレーキ及びアクセルの操作に応じて前記第１閾値及び第２閾値を補正するようにしてもよい。
【００１８】
この構成によれば、制御部は、アクセルがオフになった後にブレーキ又はアクセルの操作があったときにはその操作に応じて、開放運転と通常エンジンブレーキ運転との閾値である第１閾値及び、通常エンジンブレーキ運転と回生エンジンブレーキ運転との閾値である第２閾値を補正する。これにより、次回からは、運転者の減速意思により則した運転を実行することができる。
【発明の効果】
【００１９】
前記の構成によれば、運転者の減速意思に応じた運転を実行することができる。
【図面の簡単な説明】
【００２０】
【図１】車両駆動ユニットの制御装置のブロック図である。
【図２】アクセルオフ時の運転制御のフローチャートの一部である。
【図３】アクセルオフ時の運転制御のフローチャートの残りの部分である。
【図４】アクセル開度とエンジン出力との関係を示すグラフである。
【図５】アクセルオフ速度に応じた運転マップである。
【図６】変形例に係るアクセルオフ速度に応じた運転マップである。
【発明を実施するための形態】
【００２１】
以下、例示的な実施形態を図面に基づいて詳細に説明する。図１に、車両駆動ユニットの制御装置のブロック図を示す。
【００２２】
車両駆動ユニットの制御装置は、パワートレインＰＴと制御部１００とを備えている。
【００２３】
パワートレインＰＴは、複数の気筒を有する４サイクル火花点火式エンジン（以下、「エンジン」という）１１と、左右の車輪（駆動輪）１２，１２と、変速を行う変速装置１３と、変速装置１３からの出力を左右の車輪１２，１２に分配する差動装置１４と、エンジン１１と変速装置１３との間に介設されたトルクコンバータ１５と、スタータと発電機とを兼用しているベルト駆動スタータジェネレータ（以下、「ＢＩＳＧ」という）１６とを有している。変速装置１３及びトルクコンバータ１５は、断続装置の一例である。ＢＩＳＧ１６は、発電機の一例である。
【００２４】
変速装置１３は、多段自動変速機である。変速装置１３は、詳細な図示は省略するが、複数の遊星歯車機構と、遊星歯車機構に含まれる各回転要素の回転を選択的に規制する摩擦締結要素としての複数のクラッチ要素及びブレーキ要素とを有している。変速装置１３は、複数のクラッチ要素及びブレーキ要素の中から選択された要素を締結することによって、各変速段を実現するように構成されている。図１では、複数のクラッチ要素をクラッチ要素１３ａとして模式的に図示している。
【００２５】
トルクコンバータ１５は、ポンプ、タービン及びステータを有し、エンジン１１の動力（トルク）を作動油を介して変速装置１３に伝達する。トルクコンバータ１５は、エンジン１１の出力軸とタービンとを直結するロックアップクラッチ１５ａを有している。
【００２６】
制御部１００は、ＶＣＭ１７、ＰＣＭ１８及びＴＣＭ１９を有している。ＶＣＭ１７、ＰＣＭ１８及びＴＣＭ１９は、それぞれ、プロセッサ、ＲＯＭ、ＲＡＭ、Ｉ／Ｏインターフェース回路及びデータバスを有している。
【００２７】
ＶＣＭ１７は、主に車両全体を制御している。ＶＣＭ１７には、アクセル開度を検出するアクセル開度センサ２１、車速を検出する車速センサ２２、エンジン回転数を検出するエンジン回転数センサ２３、ブレーキ操作の有無を検出するブレーキスイッチ２４、運転者がブレーキペダル３１に足を載せたことを検出するブレーキタッチセンサ２５、運転者がアクセルペダル３２に足を載せたことを検出するアクセルタッチセンサ２６、運転者がシフトノブ３３に触ったことを検出するシフトノブタッチセンサ２７及び運転者がＥＣＯ運転モードを選択するためのＥＣＯスイッチ２８からの信号が入力される。ブレーキタッチセンサ２５は、例えば、赤外線センサであって、ブレーキペダル３１上の物体の有無を検知する。同様に、アクセルタッチセンサ２６は、アクセルペダル３２上の物体の有無を、シフトノブタッチセンサ２７は、シフトノブ３３上の物体の有無を検知する。ＥＣＯスイッチ２８は、例えば、インストゥルメントパネル上に配置され、ＥＣＯ運転の実行／解除を切り替えるスイッチである。ＥＣＯ運転は、通常運転よりも燃費性能を自動的に向上させた運転である。
【００２８】
また、ＶＣＭ１７は、ＰＣＭ１８及びＴＣＭ１９と信号の授受可能に接続されている。例えば、ＶＣＭ１７は、エンジン１１を作動させるオン指令、エンジン１１を停止させるオフ指令、エンジン１１に対する要求トルクに関するトルク指令をＰＣＭ１８に送信する。また、ＶＣＭ１７は、変速装置１３に対する要求ギヤ段に関する指令及び変速装置１３及びトルクコンバータ１５に対するクラッチの締結／開放に関する指令を変速装置１３及びトルクコンバータ１５に送信する。
【００２９】
ＰＣＭ１８は、主にエンジン１１及びＢＩＳＧ１６を制御している。例えば、ＰＣＭ１８は、ＶＣＭ１７からの信号を受けて、燃料噴射に関する指令や点火に関する指令をエンジン１１へ、発電指令又は力行指令をＢＩＳＧ１６へ送信する。
【００３０】
ＴＣＭ１９は、主に変速装置１３及びトルクコンバータ１５を制御している。例えば、ＴＣＭ１９は、ＶＣＭ１７からの信号を受けて、クラッチ要素及びブレーキ要素の作動指令を変速装置１３へ、ロックアップクラッチ１５ａの作動指令をトルクコンバータ１５へ送信する。
【００３１】
ＶＣＭ１７は、ＥＣＯスイッチ２８が運転者により選択されている場合には、通常運転よりも燃費性能を向上させた運転であるＥＣＯ運転を実行する。例えば、ＥＣＯ運転においては、ＶＣＭ１７は、通常運転に比べて、動力性能が劣るとしても燃費性能が向上するタイミングで変速段が切り替わるように、ＴＣＭ１９へ指令を出力する。つまり、ＥＣＯ運転では、動力性能よりも燃費性能が優先される。
【００３２】
このように構成された車両駆動ユニットの制御装置は、アクセルがオフのときに、エンジンブレーキを作用させない開放運転と、エンジンブレーキを作用させるエンジンブレーキ運転とを切り替えている。図２，３に、アクセルオフ時の運転制御のフローチャートを示す。
【００３３】
まず、制御部１００は、ステップＳ１において、各種センサの検出信号を読み込む。具体的には、制御部１００は、アクセル開度センサ２１からのアクセル開度Ａｃｃ、車速センサ２２からの車速Ｖ、エンジン回転数センサ２３からのエンジン回転数Ｎｅ及びブレーキスイッチ２４からのブレーキスイッチのオン／オフ状態を読み込む。
【００３４】
次に、ステップＳ２において、制御部１００は、車両が走行中であり且つアクセルがオンからオフになったか否かを判定する。例えば、制御部１００は、車速Ｖが所定速度以上且つエンジン回転数Ｎｅが所定回転数以上である場合に、走行中であると判定する。制御部１００は、アクセル開度Ａｃｃが零になったときに、アクセルがオンからオフになったと判定する。制御部１００は、車両が走行中であり且つアクセルがオンからオフになった場合にはステップＳ３へ進む一方、車両が走行中ではなく又はアクセルがオンからオフになっていない場合（例えば、アクセルがオンの場合や、アクセルが単にオフの場合）にはステップＳ５へ進む。
【００３５】
ステップＳ３において、制御部１００は、ブレーキがオフか否かを判定する。例えば、制御部１００は、ブレーキスイッチ２４がオフの場合にブレーキがオフであると判定する。制御部１００は、ブレーキがオフの場合にはステップＳ７へ進む一方、ブレーキがオフでない場合にはステップＳ４へ進む。
【００３６】
ブレーキがオフでない場合、即ち、ブレーキがオンの場合には、制御部１００は、ステップＳ４においてエンジン１１の燃料供給及び点火を停止し、ステップＳ１へ戻り、ステップＳ１，Ｓ２の処理を再び実行する。つまり、ブレーキがオンの場合には、エンジンブレーキ運転や開放運転を行うことなく、単に燃料供給及び点火を停止する。ここで、再度のステップＳ２においては、前回のステップＳ２以降にアクセルがオンになっていない限りアクセルがオンからオフになったと判定されることはないので、ＮＯと判定され、制御部１００は、ステップＳ５へ進む。
【００３７】
ステップＳ５では、制御部１００は、燃料供給及び点火停止中であり且つアクセルがオンになったか、又は燃料供給及び点火停止中であり且つエンジン回転数が所定の復帰回転数以下になったかを判定する。燃料供給及び点火停止中にアクセルがオンになったか又は燃料供給及び点火停止中にエンジン回転数が所定の復帰回転数以下になった場合には、制御部１００は、ステップＳ６において燃料供給及び点火を再開し、ステップＳ１へ戻る。一方、ステップＳ５の何れの条件も満たさない場合には、制御部１００は、ステップＳ１へ戻る。
【００３８】
例えば、運転者がアクセルをオンにして運転している場合には、制御部１００は、ステップＳ２からステップＳ５へ進み、燃料供給及び点火停止中ではないのでＮＯと判定され、ステップＳ１へ戻る。こうして、ステップＳ１，Ｓ２，Ｓ５の処理が繰り返される。アクセルがオンからオフになると、制御部１００は、ステップＳ２からステップＳ３へ進む。アクセルをオンからオフにした後にブレーキが踏まれた場合には、制御部１００は、ステップＳ３からステップＳ４へ進み、燃料供給及び点火停止を実行して、ステップＳ１へ戻る。その後のステップＳ２では、アクセルオフの状態が継続している限りＮＯと判定され、制御部１００は、ステップＳ５へ進む。そして、アクセルが再びオンとなり、そのアクセルがオンからオフになるまで、ステップＳ１，Ｓ２，Ｓ５の処理が繰り返される。
【００３９】
走行中にアクセルがオンからオフになり且つブレーキがオフの場合には、制御部１００は、ステップＳ１〜Ｓ３を経て、ステップＳ７に進む。ステップＳ７において、制御部１００は、アクセルがオフになる速度であるアクセルオフ速度Ｖａｃｃが所定の第１速度Ｖ１未満か否かを判定する。第１速度Ｖ１は、第１閾値の一例である。
【００４０】
ここで、アクセルオフ速度Ｖａｃｃについて、図４を参照しながら説明する。図４は、アクセル開度とエンジン出力との関係を示すグラフである。
【００４１】
エンジン１１は、エンジンブレーキとして機能するように、各要素を作動させるために動力を要するので、アクセル開度を零から増加させても直ちにトルクを出力するわけではない。エンジン１１は、アクセル開度が所定の最小開度まで上昇して初めて、トルクを出力するようになる。エンジン出力が零となるアクセル開度である最小開度は、エンジン１１の暖機状態及びエンジン回転数に依存する。つまり、エンジン１１の暖機状態とエンジン回転数が決まれば、最小開度が決まる。本実施形態では、アクセル開度が、最小開度となってから零になるまでのアクセル開度の減少率をアクセルオフ速度Ｖａｃｃとしている。つまり、アクセルオフ開度Ｖａｃｃは、（最小開度）／（エンジン開度が最小開度となってから零となるまでの時間）である。
【００４２】
制御部１００は、ステップＳ７及び後述するステップＳ１４において、アクセルオフ速度Ｖａｃｃに基づいて、開放運転、通常エンジンブレーキ運転及び回生エンジンブレーキ運転のいずれを実行するかを判定している。図５に、アクセルオフ速度に応じた運転マップを示す。図５では、回生エンジンブレーキ運転における回生量も図示している。
【００４３】
アクセルオフ速度Ｖａｃｃが第１速度Ｖ１未満の場合には、制御部１００は、運転者の減速意思が弱いと判断して、ステップＳ８，Ｓ９においてエンジンブレーキが作用しない開放運転を実行する。具体的には、制御部１００は、ステップＳ８において、変速装置１３のクラッチ要素１３ａを開放し且つトルクコンバータ１５のロックアップクラッチ１５ａを開放し（即ち、締結を解除する）、ステップＳ９において、エンジン１１の燃料供給及び点火を停止する。つまり、エンジン１１と車輪１２，１２との間のトルク伝達が遮断された状態で燃料供給及び点火が停止されるので、エンジン１１はエンジンブレーキとして作用しない。
【００４４】
こうして、アクセルオフ速度Ｖａｃｃが第１速度Ｖ１未満の場合には、減速意思が非常に弱いとして、減速度の小さい開放運転が実行される。開放運転では、運転者の弱い減速意思に応じた小さな減速度で走行できると共に、走行距離当たりの燃料消費を抑制して燃費を向上させることができる。
【００４５】
一方、アクセルオフ速度Ｖａｃｃが第１速度Ｖ１以上の場合には、制御部１００は、運転者の減速意思が強いと判断して、ステップＳ１２，Ｓ１３においてエンジンブレーキが作用するエンジンブレーキ運転を実行する。具体的には、制御部１００は、ステップＳ１２において、変速装置１３のクラッチ要素１３ａの締結及びトルクコンバータ１５のロックアップクラッチ１５ａの締結を維持し、ステップＳ１３において、エンジン１１の燃料供給及び点火を停止する。ここで、「変速装置１３のクラッチ要素１３ａの締結」とは、変速装置１３の複数のクラッチ要素の全てを締結することを意味するのではなく、複数のクラッチ要素及びブレーキ要素のうち、エンジン１１と車輪１２，１２との間でのトルク伝達をそのときの運転状況に応じた適切な変速段で実現するために必要な要素を締結することを意味する。つまり、運転状況に応じて、２つのクラッチ要素を締結する場合もあれば、１つのクラッチ要素及び１つのブレーキ要素を締結する場合もある。
【００４６】
つまり、エンジン１１と車輪１２，１２との間のトルク伝達が維持された状態で燃料供給及び点火が停止されるので、エンジン１１は、車輪１２，１２にとって抵抗として作用し、エンジンブレーキとして機能する。そのため、車輪１２，１２には大きな減速度が付与される。
【００４７】
続いて、制御部１００は、ステップＳ１４において、エンジンブレーキ運転を回生制動を伴わない通常エンジンブレーキ運転とするか、回生制動を伴う回生エンジンブレーキ運転とするかを判定する。具体的には、制御部１００は、アクセルオフ速度Ｖａｃｃが所定の第２速度Ｖ２未満か否かを判定する。第２速度Ｖ２は、第１速度Ｖ１よりも大きい。第２速度Ｖ２は、第２閾値の一例である。
【００４８】
アクセルオフ速度Ｖａｃｃが第２速度Ｖ２未満の場合には、制御部１００は、ＢＩＳＧ１６による回生制動を行うことなく、ステップＳ１５へ進む。つまり、通常エンジンブレーキ運転が実行されることになる。
【００４９】
一方、アクセルオフ速度Ｖａｃｃが第２速度Ｖ２以上の場合には、制御部１００は、ステップＳ１８において、ＢＩＳＧ１６を発電機として機能させ、回生制動を行う。つまり、回生エンジンブレーキ運転が実行される。回生エンジンブレーキ運転では、エンジン１１の抵抗に加えて、ＢＩＳＧ１６の駆動力がエンジンブレーキとして作用するため、通常エンジンブレーキ運転よりも大きな減速度が付与される。
【００５０】
このとき、制御部１００は、アクセルオフ速度Ｖａｃｃが大きくなるほど、発電量が大きくなるようにＢＩＳＧ１６を制御している。具体的には、図５に示すように、発電量は、アクセルオフ速度Ｖａｃｃに比例して（厳密には、（Ｖａｃｃ―Ｖ２）に比例して）大きくなるように調整される。
【００５１】
制御部１００は、こうして回生運転、通常エンジンブレーキ運転及び回生エンジンブレーキ運転を切り替える一方で、その切り替えに用いる第１速度Ｖ１及び第２速度Ｖ２を各運転中における運転者のアクセル及びブレーキ操作に基づいて補正している。
【００５２】
詳しくは、開放運転では、制御部１００は、ステップＳ１０において、アクセルがオフになってから所定時間内にブレーキが操作されたか（即ち、ブレーキがオンになるか）否かを判定する。ブレーキが操作された場合には、制御部１００は、ステップＳ１１において、第１速度Ｖ１を所定量だけ小さく補正する。つまり、ブレーキ操作は減速が不足していることを意味する。第１速度Ｖ１を小さく補正することによって、次回からは、開放運転よりも減速度が大きい通常エンジンブレーキ運転が実行され易くなる。
【００５３】
通常エンジンブレーキ運転では、制御部１００は、ステップＳ１５において、アクセルがオフになってから所定時間内にアクセル又はブレーキが操作されたか否かを判定する。アクセルが操作された（即ち、アクセルがオンになった）場合には、制御部１００は、ステップＳ１６において、第１速度Ｖ１を所定量だけ大きく補正する。つまり、アクセル操作は減速が過剰であることを意味する。第１速度Ｖ１を大きく補正することによって、次回からは、通常エンジンブレーキ運転よりも減速度が小さい開放運転が実行され易くなる。一方、ブレーキが操作された場合には、制御部１００は、ステップＳ１７において、第２速度Ｖ２を所定量だけ小さく補正する。つまり、ブレーキ操作は減速が不足していることを意味する。第２速度Ｖ２を小さく補正することによって、次回からは、通常エンジンブレーキ運転よりも減速度が大きい回生エンジンブレーキ運転が実行され易くなる。
【００５４】
回生エンジンブレーキ運転では、制御部１００は、ステップＳ１９において、アクセルがオフになってから所定時間内にアクセル又はブレーキが操作されたか否かを判定する。アクセルが操作された場合には、制御部１００は、ステップＳ２０において、第２速度Ｖ２を所定量だけ大きく補正する。つまり、アクセル操作は減速が過剰であることを意味する。第２速度Ｖ２を大きく補正することによって、次回からは、回生エンジンブレーキ運転よりも減速度が小さい通常エンジンブレーキ運転が実行され易くなる。一方、ブレーキが操作された場合には、制御部１００は、ステップＳ２１において、第２速度Ｖ２を所定量だけ小さく補正する。つまり、ブレーキ操作は減速が不足していることを意味する。第２速度Ｖ２を小さく補正することによって、図５におけるアクセルオフ速度Ｖａｃｃと回生量との関係を示す直線が破線で示すように低速側へ平行移動する。例えば、図５に示すように、アクセルオフ速度ＶａｃｃがＶａである場合、第２速度Ｖ２が低速側へ補正された結果、回生量が増加することになる。これにより、減速度が増加する。
【００５５】
こうして、アクセルがオフになった後の運転者の操作に基づいて第１速度Ｖ１及び第２速度Ｖ２を補正することによって、減速度を運転者の減速意思により則したものにすることができる。
【００５６】
尚、通常エンジンブレーキ運転及び回生エンジンブレーキ運転においては、エンジン回転数が所定の下限回転数未満になると、ステップＳ２２において、制御部１００は、変速装置１３のクラッチ要素１３ａを開放し且つトルクコンバータ１５のロックアップクラッチ１５ａを開放する。つまり、エンジンブレーキ運転においては、エンジンブレーキが作用した状態でエンジン１１が停止に向かうが、エンジン１１が停止するまでエンジン１１と車輪１２，１２とが連結されていると、車両の快適性、即ち、ＮＶＨ（Noise, Vibration and Harshness）が悪化する。そこで、エンジン回転数が所定の下限回転数未満となったときにクラッチ要素１３ａ及びロックアップクラッチ１５ａを開放することによって、エンジン１１をスムーズに停止させることができる。
【００５７】
また、開放運転、通常エンジンブレーキ運転及び回生エンジンブレーキ運転の何れの運転においても、燃料供給及び点火を停止した後にアクセルがオンになると、燃料供給及び点火が再開される。
【００５８】
以上のように、車両駆動ユニットの制御装置は、エンジン１１と車輪との間の動力の伝達及び遮断を切り替える変速装置１３及びトルクコンバータ１５と、変速装置１３及びトルクコンバータ１５を制御する制御部１００とを備え、制御部１００は、アクセルがオフになり且つアクセルオフ速度Ｖａｃｃが所定の第１速度Ｖ１以上のときには、変速装置１３及びトルクコンバータ１５の締結によりエンジンブレーキを作用させる一方、アクセルがオフになり且つアクセルオフ速度Ｖａｃｃが第１速度Ｖ１未満のときには、変速装置１３及びトルクコンバータ１５を開放する。
【００５９】
この構成によれば、開放運転は、エンジンブレーキが作用しないので減速度が比較的小さい。一方、エンジンブレーキ運転は、エンジンブレーキが作用するので減速度が比較的大きい。アクセルオフ速度Ｖａｃｃには運転者の減速意思がよく現れているので、アクセルオフ速度Ｖａｃｃに基づいて、開放運転とエンジンブレーキ運転とを切り替えることによって、運転者の減速意思に応じた減速度の運転が自動的に選択される。こうして、運転者の減速意思に応じた運転を実行することによって、運転者の操作を極力減らすことができ、運転時の快適性を向上させることができる。
【００６０】
それに加えて、運転者の操作を極力減らすことによって、燃費を向上させることができる。つまり、減速が過剰な場合には、運転者にアクセルペダル３２を踏ませることになるが、減速が適切であれば、そのようなアクセル操作が不要になり、燃料消費を低減させることができる。一方、減速が不足している場合には、運転者にブレーキペダル３１を踏ませることになる。この場合、液圧ブレーキ等を作動させるために燃費が悪化する。しかしながら、減速が適切であれば、そのようなブレーキ操作が不要になり、液圧ブレーキの作動に関連するエネルギの消費が抑制されるので、燃料消費を低減させることができる。このように、加減速に関する運転者の不要な操作を減らすことによって燃費を向上させることができる。
【００６１】
また、車両駆動ユニットの制御装置は、ＢＩＳＧ１６をさらに備え、制御部１００は、アクセルがオフになり且つアクセルオフ速度Ｖａｃｃが第１速度Ｖ１以上のときには、エンジンブレーキを作用させると共にＢＩＳＧ１６による回生制動を実行する。
【００６２】
この構成によれば、エンジンブレーキ運転を実行するときに回生制動が実行されるため、燃費を向上させることができる。
【００６３】
さらに、エンジンブレーキの作用と共に回生制動を実行するのは、アクセルがオフになり且つアクセルオフ速度Ｖａｃｃが第１速度Ｖ１よりも大きい第２速度Ｖ２以上のときである。
【００６４】
この構成によれば、エンジンブレーキ運転が回生制動を伴わない通常エンジンブレーキ運転と回生制動を伴う回生エンジンブレーキ運転とに分けられる。そして、アクセルオフ速度Ｖａｃｃに応じて、開放運転、通常エンジンブレーキ運転及び回生エンジンブレーキ運転が切り替えられる。こうして、減速度の異なるエンジンブレーキ運転を選択肢に追加することによって、運転者の減速意思により則した運転を実現することができる。
【００６５】
また、制御部１００は、回生制動による発電量を、アクセルオフ速度Ｖａｃｃに応じて調整する。
【００６６】
この構成によれば、回生エンジンブレーキ運転においては、発電量が一律ではなく、アクセルオフ速度Ｖａｃｃに応じて調整される。発電量が変化すると、回生制動による減速度も変化する。つまり、回生エンジンブレーキ運転における減速度を運転者の減速意思に応じて調整することができる。その結果、運転者の減速意思により則した運転を実現することができる。
【００６７】
また、制御部１００は、アクセルがオフになった後のブレーキ及びアクセルの操作に応じて第１速度Ｖ１を補正する。
【００６８】
この構成によれば、制御部１００は、開放運転及びエンジンブレーキ運転中のブレーキ及びアクセル操作に応じて第１速度Ｖ１を補正する。つまり、開放運転中及びエンジンブレーキ運転中のブレーキ及びアクセル操作は、減速度に対する運転者の反応である。ブレーキ操作は、減速不足を表し、アクセル操作は、減速過剰を表している。そこで、こられのブレーキ及びアクセル操作に応じて第１速度Ｖ１を補正することによって、アクセルオフ速度Ｖａｃｃがそれほど大きくなくてもエンジンブレーキ運転を実行したり、アクセルオフ速度Ｖａｃｃがそれほど小さくなくても開放運転を実行したりすることができる。これにより、開放運転及びエンジンブレーキ運転の選択を運転者の減速度に対する運転傾向に適応させることができる。
【００６９】
さらに、制御部１００は、アクセルがオフになった後のブレーキ及びアクセルの操作に応じて第１速度Ｖ１及び第２速度Ｖ２を補正する。
【００７０】
この構成によれば、制御部１００は、開放運転、通常エンジンブレーキ運転及び回生エンジンブレーキ運転中のブレーキ及びアクセル操作に応じて第１速度Ｖ１及び第２速度Ｖ２を補正する。これにより、開放運転、通常エンジンブレーキ運転及び回生エンジンブレーキ運転の選択を運転者の減速度に対する運転傾向に適応させることができる。
【００７１】
《その他の実施形態》
以上のように、本出願において開示する技術の例示として、前記実施形態を説明した。しかしながら、本開示における技術は、これに限定されず、適宜、変更、置き換え、付加、省略などを行った実施の形態にも適用可能である。また、上記実施形態で説明した各構成要素を組み合わせて、新たな実施の形態とすることも可能である。また、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００７２】
前記実施形態について、以下のような構成としてもよい。
【００７３】
例えば、実施形態では、変速装置１３及びトルクコンバータ１５を断続装置として採用しているが、断続装置の構成はこれに限られるものではない。様々な変速装置又はクラッチ機構を断続装置として採用することができる。例えば、自動変速機に限らず、手動変速機においても本技術を採用することができる。手動変速機においては、通常、運転者の操作によってクラッチの断続が制御されるが、それとは別に制御部１００により制御される自動クラッチ機構を設けるようにする。そして、前述のようなアクセルがオンからオフになった状況では、アクセルオフ速度Ｖａｃｃに応じて制御部１００が自動クラッチ機構を制御し、開放運転及びエンジンブレーキ運転を選択するようにすればよい。
【００７４】
また、エンジン１１と車輪１２，１２とのトルク伝達の断続を、変速装置１３及びトルクコンバータ１５の両方で行っているが、何れか一方だけで行ってもよい。つまり、前記実施形態では、エンジン１１と車輪１２，１２との間のトルク伝達が遮断する際に、変速装置１３のクラッチ要素１３ａ及びトルクコンバータ１５のロックアップクラッチ１５ａの両方を開放しているが、クラッチ要素１３ａ及びロックアップクラッチ１５ａの少なくとも一方を開放する構成であればよい。また、ロックアップ機能を有さないトルクコンバータであれば、変速装置１３によってトルク伝達の断続を切り替えればよい。
【００７５】
また、前記実施形態では、ＢＩＳＧ１６を発電機として採用しているが、発電機は、ＢＩＳＧに限られるものではない。例えば、発電機は、スタータとジェネレータとが統合されたものではなく、ジェネレータ、即ち、オルタネータであってもよい。
【００７６】
前記実施形態では、アクセル開度が最小開度（エンジン出力が零となる開度）となってから零になるまでのアクセル開度の減少率をアクセルオフ速度Ｖａｃｃとして採用しているが、アクセルオフ速度はこれに限られるものではない。例えば、アクセル開度が零となる直前の所定期間におけるアクセル開度の減少率をアクセルオフ速度Ｖａｃｃとしてもよい。あるいは、アクセル開度が最小開度となるときのアクセル開度の微分値をアクセルオフ速度Ｖａｃｃとしてもよい。つまり、アクセル開度が零に向かって減少する速さを表す指標であれば、任意の値をアクセル速度Ｖａｃｃとして採用することができる。
【００７７】
また、前記実施形態では、回生エンジンブレーキ運転中のアクセル及びブレーキ操作に応じて第２速度Ｖ２を補正しているが、補正の対象は第２速度Ｖ２に限られない。例えば、図６に示すように、運転者のアクセル及びブレーキ操作に応じてアクセルオフ速度Ｖａｃｃに対する回生量の変化率を補正してもよい。具体的には、アクセル操作がされた場合には、減速が過剰であったとして、アクセルオフ速度Ｖａｃｃに対する回生量の変化率（即ち、傾き）を小さくする。これにより、アクセルオフ速度Ｖａｃｃが同じであっても（例えば、Ｖａ）、回生量が減少し、減速度が低下する。一方、ブレーキ操作がされた場合には、減速が不足であってとして、アクセルオフ速度Ｖａｃｃに対する回生量の変化率を大きくする。これにより、アクセルオフ速度Ｖａｃｃが同じであっても（例えば、Ｖａ）、回生量が増加し、減速度が増加する。尚、第２速度Ｖ２の補正と、アクセルオフ速度Ｖａｃｃに対する回生量の変化率の補正とを組み合わせて行ってもよい。
【００７８】
また、エンジンブレーキ運転においては、エンジン回転数が所定値以下になると変速装置１３のクラッチ要素１３ａを開放し且つトルクコンバータ１５のロックアップクラッチ１５ａを開放しているが、これに限られるものではない。エンジンブレーキ運転においてエンジン回転数が所定の復帰回転数以下になった場合に、制御部１００が燃料供給及び点火を再開して、アイドル運転を実行するようにしてもよい。
【００７９】
さらに、開放運転において、エンジン１１は最終的に停止するが、これに限られるものではない。開放運転中にエンジン回転数が所定の復帰回転数以下になった場合に、制御部１００が燃料供給及び点火を再開するようにしてもよい。
【００８０】
その他、本技術の作用効果を奏することができる限りは、各ステップの順番を入れ替えたり、複数のステップを並列に処理したり、別のステップを追加したりしてもよい。
【産業上の利用可能性】
【００８１】
以上説明したように、ここに開示された技術は、車両駆動ユニットの制御装置について有用である。
【符号の説明】
【００８２】
１１      エンジン
１２      車輪
１３      変速装置（断続装置）
１５      トルクコンバータ（断続装置）
１６      ベルト駆動スタータジェネレータ（発電機）
１００    制御部
Ｖａｃｃ  アクセルオフ速度（アクセルがオフになる速度）
Ｖ１      第１速度（第１閾値）
Ｖ２      第２速度（第２閾値）
【図１】
2016011701.tif 000003
【図２】
2016011701.tif 000004
【図３】
2016011701.tif 000005
【図４】
2016011701.tif 000006
【図５】
2016011701.tif 000007
【図６】
2016011701.tif 000008